(57)【要約】      （修正有）【課題】キーボードを取り外して使用することができる電子装置ベースを提供する。【解決手段】電子装置ベースは、表示装置が枢着されたブラケット１０及びキーボード４０を備え、ブラケットは表示装置８０に相対して前支持位置と後支持位置との間で回動して表示装置を支持し、前支持位置でブラケットは表示装置の前側に位置し且つキーボードはブラケットに装着されたまま使用し、後支持位置でブラケットは表示装置の後側に位置し且つキーボードはブラケットから取り外して使用する。【選択図】図１
2014139778.tif 000002
【特許請求の範囲】
【請求項１】
表示装置が枢着されたブラケット及びキーボードを備えてなる電子装置ベースであって、
前記ブラケットは前記表示装置に相対して前支持位置と後支持位置との間で回動して前記表示装置を支持し、前記前支持位置では前記ブラケットは前記表示装置の前側に位置し且つ前記キーボードは前記ブラケットに装着されたまま使用され、前記後支持位置では前記ブラケットは前記表示装置の後側に位置し且つ前記キーボードは前記ブラケットから取り外して使用されることを特徴とする電子装置ベース。
【請求項２】
前記ブラケットにはベースインターフェースが設置され、前記キーボードにはキーボードインターフェースが設置され、前記キーボードを前記ブラケットに装着した場合、前記キーボードインターフェースは前記ベースインターフェースに接続されて、前記ブラケットが前記キーボードに充電可能となることを特徴とする請求項１に記載の電子装置ベース。
【請求項３】
前記ブラケットにはスライドスロットが設けられ、前記スライドスロットには、前記スライドスロットに沿ってスライドすることができるスライダーが設けられ、前記ベースインターフェースは前記スライドスロット内に位置し、前記キーボードインターフェースが前記ベースインターフェースに接続された場合、前記スライダーをスライドさせて、前記スライダーで前記キーボードインターフェースを押圧することにより、前記キーボードを前記ブラケットに固定することを特徴とする請求項２に記載の電子装置ベース。
【請求項４】
前記スライドスロットの片側には切欠口が設けられ、前記切欠口は前記ベースインターフェースに対面し、前記キーボードインターフェースは前記切欠口を通じて前記ベースインターフェースに接続されることを特徴とする請求項３に記載の電子装置ベース。
【請求項５】
前記ブラケットは凹んで収容空間を形成し、前記キーボードを収容空間に配置されることを特徴とする請求項４に記載の電子装置ベース。
【請求項６】
前記ブラケットは第一側と、前記第一側の反対側に位置する第二側とを備え、
前記前支持位置では、前記ブラケットの第二側は作業台に面し、前記ブラケットの第一側と前記表示装置とは鈍角を形成し、前記キーボードは前記ブラケットの第一側に位置し、
前記後支持位置では、前記キーボードは前記第一側から取り外され、前記ブラケットの第一側は前記作業台に面し、前記ブラケットの第一側と前記表示装置とは鋭角を形成することを特徴とする請求項１に記載の電子装置ベース。
【請求項７】
前記ブラケットの第一側には第一磁石が設置され、前記キーボードのうちの前記ブラケットの第一側に面する底面には第二磁石が設置され、前記第一磁石と前記第二磁石とが互いに吸着して、前記キーボードを前記ブラケットに固定することを特徴とする請求項１に記載の電子装置ベース。
【請求項８】
前記ブラケットには回動可能なホルダーが装着され、前記ホルダーには収容スロットが設けられ、前記表示装置の１つの辺縁は前記収容スロットに収容されることを特徴とする請求項１に記載の電子装置ベース。
【請求項９】
前記キーボードは無線モジュールを備えることを特徴とする請求項１に記載の電子装置ベース。
【発明の詳細な説明】
【技術分野】
【０００１】
本発明は、電子装置ベースに関するものであり、特にキーボードを取り外して使用することができる電子装置ベースに関するものである。
【背景技術】
【０００２】
タッチスクリーン技術の発展に伴い、ノートパソコンの表示装置もタッチスクリーンを使用し、表示装置に相対してノートパソコンのベースを２９５度、３２０度又は他の角度に回動させることによってノートパソコンのベースを支持装置とする際、ユーザーはタッチスクリーンを便利に操作することができる。しかしながら、ノートパソコンのベースを支持装置とする場合、キーボードはベースの下方に位置するので、ユーザーはキーボードを使用できなくなる。
【０００３】
タブレットパソコンの拡張ベースにもキーボードが装着されて、タブレットパソコンを拡張ベースに取り付けてから、キーボードを使用してタブレットパソコンに情報を入力することができる。しかしながら、タブレットパソコンを支持するために、拡張ベースをタブレットパソコンの後方に回動した場合、キーボードは拡張ベースの下方に位置するので、ユーザーはキーボードを使用できなくなる。
【発明の概要】
【発明が解決しようとする課題】
【０００４】
本発明の目的は、前記課題を解決し、キーボードを取り外して使用することができる電子装置ベースを提供することである。
【課題を解決するための手段】
【０００５】
本発明に係る電子装置ベースは、表示装置が枢着されたブラケット及びキーボードを備え、ブラケットは表示装置に相対して前支持位置と後支持位置との間で回動して表示装置を支持し、前支持位置でブラケットは表示装置の前側に位置し且つキーボードはブラケットに装着されたまま使用し、後支持位置でブラケットは表示装置の後側に位置し且つキーボードはブラケットから取り外して使用する。
【発明の効果】
【０００６】
従来の技術に比べて、本発明の電子装置ベースのブラケットが後支持位置に位置する際、キーボードをブラケットから取り外して使用することができる。
【図面の簡単な説明】
【０００７】
【図１】本発明の実施形態に係る電子装置ベースの分解斜視図である。
【図２】図１に示す電子装置ベースのキーボードの構成図である。
【図３】図１に示す電子装置ベースの組立図である。
【図４】図１に示す電子装置ベースの他の組立図である。
【図５】本発明の他の実施形態に係る電子装置ベースの分解斜視図である。
【発明を実施するための形態】
【０００８】
以下、図面を参照して、本発明の実施形態について説明する。
【０００９】
図１を参照すると、本発明の実施形態に係る電子装置ベースは、ブラケット１０及びキーボード４０を備える。ブラケット１０は、表示装置８０をキーボード４０に取り付けるために用いられる。表示装置８０は、ノートパソコンの表示装置又はタブレットパソコンであることができる。
【００１０】
ブラケット１０は、第一側１１と、第一側１１の反対側に位置する第二側１２とを備え、第一側１１の中央部は凹んで収容空間１３を形成し、収容空間１３はキーボード４０を収容するために用いられる。ブラケット１０の収容空間１３の手前側の反対側にはスライドスロット１４が開設され、スライダー１５はスライドスロット１４に沿ってスライドすることができる。スライドスロット１４の内部にはベースインターフェース１４１が設置され、ベースインターフェース１４１と収容空間１３との間には、即ちスライドスロット１４の片側には、ベースインターフェース１４１に対面する切欠口１６が開設される。ブラケット１０の手前側の反対側にはホルダー１８が枢着され、ホルダー１８はブラケット１０に相対して回動可能であり、ホルダー１８には収容スロット１８１が設けられる。
【００１１】
キーボード４０は複数のキーボタン４１を備え、キーボード４０の中央部にはマウスポインタ移動を制御するローラー４２が設置され、キーボード４０の手前側にはマウスの左右ボタンである２つのボタン４３が設置され、キーボード４０の手前側の反対側にはキーボードインターフェース４４が設置される。
【００１２】
図２を参照すると、キーボード４０は無線キーボードであり、その内部には無線モジュール４８が設置され、無線モジュール４８は赤外線モジュール、ブルートゥースモジュール又はｗｉｆｉ無線モジュールなどであることができる。キーボード４０は、無線モジュール４８によって表示装置８０又はブラケット１０を設置したノートパソコンに接続される。
【００１３】
表示装置８０はホルダー１８の収容スロット１８１に取り付けることができ、ノートパソコンの表示装置もブラケット１０のホルダー１８に装着することができる。
【００１４】
図３を参照すると、電子装置ベースを組み立てる場合、先ず、ブラケット１０の第二側１２がデスクトップ又は作業台に面するように、ブラケット１０をデスクトップ又は作業台に載置してから、キーボード４０をブラケット１０の収容空間１３に配置して、キーボード４０のキーボードインターフェース４４は切欠口１６を介してベースインターフェース１４１に差し込まれる。次に、スライドスロット１４に沿ってスライダー１５を切欠口１６に向かってスライドすると、スライダー１５はキーボードインターフェース４４を押圧して、キーボード４０をブラケット１０に固定する。ブラケット１０はキーボードインターフェース４４によってキーボード４０に対して充電することができる。最後に、表示装置８０の１つの辺縁をブラケット１０のホルダー１８の収容スロット１８１に収容し、表示装置８０をブラケット１０に装着する。
【００１５】
図３に示されたように、ブラケット１０が前支持位置に位置する際、ブラケット１０の第一側１１と表示装置８０及びホルダー１８とは鈍角を形成し、ブラケット１０は表示装置８０を傾斜位置になるように支持し、キーボード４０は無線モジュール４８によって表示装置８０に接続されて、ブラケット１０上のキーボード４０を使用して表示装置８０に情報を入力することができ、ブラケット１０はキーボード４０に対して充電することができる。
【００１６】
図３及び図４を参照すると、スライダー１５をスライドさせて、スライダー１５が切欠口１６から離れると、スライダー１５はキーボードインターフェース４４を押圧せず、キーボード４０をブラケット１０の収容空間１３から取り出すことができる。ブラケット１０を回動して、ブラケット１０の第一側１１がデスクトップ又は作業台に面するように、ブラケット１０をデスクトップ又は作業台に載置すると、ブラケット１０の第一側１１と表示装置８０及びホルダー１８とは鋭角を形成し、ブラケット１０は後支持位置に位置し、ブラケット１０は表示装置８０を傾斜位置になるように支持する。ブラケット１０から取り外したキーボード４０を表示装置８０の前側に配置され、キーボード４０は無線モジュール４８によって表示装置８０に接続されて、キーボード４０を使用して表示装置８０に情報を入力することができる。
【００１７】
図５に示されたように、他の実施形態において、電子装置ベースは、ブラケット１０’及びキーボード４０’を備え、ブラケット１０’の中央部は凹んで収容空間１３’を形成する。収容空間１３’の内部に第一磁石９１を設置し、キーボード４０’の底部に第二磁石９２を設置して、第一磁石９１と第二磁石９２が吸着することにより、キーボード４０’をブラケット１０’に固定することができ、第一磁石９１と第二磁石９２とを外力によって分離することにより、ブラケット１０’からキーボード４０’を取り外すことができる。
【符号の説明】
【００１８】
１０、１０’  ブラケット
１１  第一側
１２  第二側
１３，１３’  収容空間
１４  スライドスロット
１５  スライダー
１６  切欠口
１８  ホルダー
４０，４０’  キーボード
４１  キーボタン
４２  ローラー
４３  ボタン
４４  キーボードインターフェース
４８  無線モジュール
８０  表示装置
９１  第一磁石
９２  第二磁石
１４１  ベースインターフェース
１８１  収容スロット
【図１】
2014139778.tif 000003
【図２】
2014139778.tif 000004
【図３】
2014139778.tif 000005
【図４】
2014139778.tif 000006
【図５】
2014139778.tif 000007